(57)【要約】      （修正有）【課題】人が洋服などの色を選ぶ際に参考となる情報を提供できるカラーコーディネイト支援システムを提供する。【解決手段】色組み合わせパターン群特定部２３は、外見属性入力手段となる入力部８で入力された外見属性情報に対応付けられた色組み合わせパターン群を第１の対応付け情報を基に特定する。色組み合わせパターン特定部２５は、色組み合わせパターン群特定部２３で特定された色組み合わせパターン群を構成する複数の色組み合わせパターンのなかで、内面属性入力手段となる入力部８で入力された内面属性情報に対応付けられた色組み合わせパターンを第２の対応付け情報を基に特定する。色選択部２７は、特定した色組み合わせパターンが規定する複数の要素についての下位分類色を選択する。【選択図】図１
0003190066.tif 000002
【実用新案登録請求の範囲】
【請求項１】
対象者の内面の属性を示す内面属性情報を入力する内面属性入力手段と、
対象者の外見の属性を示す外見属性情報を入力する外見属性入力手段と、
予め決められた複数の服や身飾品からなる複数の要素についての上位分類色を各々規定した複数の色組み合わせパターンが規定されている場合に、複数の前記色組み合わせパターンで各々が構成される色組み合わせパターン群と、前記外見属性情報との対応付けを示す第１の対応付け情報を記憶する第１の記憶手段と、
前記色組み合わせパターンと前記内面属性情報との対応付けを示す第２の対応付け情報を記憶する第２の記憶手段と、
前記入力された前記外見属性情報に対応付けれた前記色組み合わせパターン群を前記第１の対応付け情報を基に特定する色組み合わせパターン群特定手段と、
前記色組み合わせ群特定手段によって特定された前記色組み合わせパターン群を構成する複数の前記色組み合わせパターンのなかで、前記入力された前記内面属性情報に対応付けれた前記色組み合わせパターンを前記第２の対応付け情報を基に特定する色組み合わせパターン特定手段と、
前記特定された前記外見属性に関して予め決められた項目の属性について、前記上位分類色と対応付けられた下位分類色を規定する第３の対応付け情報を記憶する第３の記憶手段と、
前記色組み合わせパターン特定手段が特定した前記色組み合わせパターンのそれぞれの前記要素の前記上位分類色と、前記入力された外見属性情報と、前記第３の対応付け情報とを基に、前記色組み合わせパターン特定手段が特定した前記色組み合わせパターンが規定する前記複数の要素についての前記下位分類色を選択する色選択手段と
を有するカラーコーディネイト装置。
【考案の詳細な説明】
【技術分野】
【０００１】
本考案は、対象者に合う洋服などの色に関する情報を提供するカラーコーディネイト装置に関するものである。
【背景技術】
【０００２】
自分を良く見せたいという気持ちは皆持っている。
洋服などの色は、その人の良さ・個性を印象付けるのに大きな役割を果たしている。
【考案の開示】
【考案が解決しようとする課題】
【０００３】
しかしながら、どのような色の服を選べばよいかを知ることは非常に難しい。
【０００４】
本考案は、人が洋服などの色を選ぶ際に参考となる情報を提供できるカラーコーディネイト支援装置を提供することを目的とする。
【課題を解決するための手段】
【０００５】
上述した従来技術の問題点を解決し、上述した目的を達成するために、本考案のカラーコーディネイト装置は、対象者の内面の属性を示す内面属性情報を入力する内面属性入力手段と、対象者の外見の属性を示す外見属性情報を入力する外見属性入力手段と、予め決められた複数の服や身飾品からなる複数の要素についての上位分類色を各々規定した複数の色組み合わせパターンが規定されている場合に、複数の前記色組み合わせパターンで各々が構成される色組み合わせパターン群と、前記外見属性情報との対応付けを示す第１の対応付け情報を記憶する第１の記憶手段と、前記色組み合わせパターンと前記内面属性情報との対応付けを示す第２の対応付け情報を記憶する第２の記憶手段と、前記入力された前記外見属性情報に対応付けれた前記色組み合わせパターン群を前記第１の対応付け情報を基に特定する色組み合わせパターン群特定手段と、前記色組み合わせ群特定手段によって特定された前記色組み合わせパターン群を構成する複数の前記色組み合わせパターンのなかで、前記入力された前記内面属性情報に対応付けれた前記色組み合わせパターンを前記第２の対応付け情報を基に特定する色組み合わせパターン特定手段と、前記特定された前記外見属性に関して予め決められた項目の属性について、前記上位分類色と対応付けられた下位分類色を規定する第３の対応付け情報を記憶する第３の記憶手段と、前記色組み合わせパターン特定手段が特定した前記色組み合わせパターンのそれぞれの前記要素の前記上位分類色と、前記入力された外見属性情報と、前記第３の対応付け情報とを基に、前記色組み合わせパターン特定手段が特定した前記色組み合わせパターンが規定する前記複数の要素についての前記下位分類色を選択する色選択手段とを有する。
【考案の効果】
【０００６】
本考案によれば人が洋服などの色を選ぶ際に参考となる情報を提供するカラーコーディネイト支援装置を提供することができる。
【図面の簡単な説明】
【０００７】
【図１】図１は本考案の実施形態のカラーコーディネイト支援装置１の構成図である。
【図２】図２は、本考案の実施形態で使用するヒアリングシートを説明するための図である。
【図３】図３は、本考案の実施形態で使用するヒアリングシートを説明するための図である。
【図４】図４（Ａ）は外観属性・色組み合わせパターン群表データＩＣＴ１の一例であり、図４（Ｂ）は内面属性・色組み合わせパターン表データＩＣＴ２の一例である。
【図５】図５（Ｃ）は、色選択表データＣＳＴの一例である。
【図６】図６は、色組み合わせパターン特定部の処理を説明するための図である。
【図７】図７は、色選択部の処理を説明するための図である。
【図８】図８は、図１に示すカラーコーディネイト支援装置の概念を説明するための図である。
【図９】図９は、図１に示すカラーコーディネイト支援システムの処理を説明するためのフローチャートである。
【考案を実施するための形態】
【０００８】
以下、本考案のカラーコーディネイト支援装置の実施形態を説明する。
図１は本考案の実施形態のカラーコーディネイト支援システム１の構成図である。
図１に示すように、カラーコーディネイト支援システム１は、例えば、入力部８、記憶装置１０、色組み合わせパターン群特定部２３、色組み合わせパターン特定部２５、色選択部２７を有する。
以下、各構成要素について説明する。
【０００９】
入力部８は、カラーコーディネイトの対象者の内面の属性を示す内面属性情報を入力する。入力部８の入力は、例えば、キーボードやタッチパネル等の操作画面を用いて行われる。
内面属性情報は、例えば、対象者が図２、図３に示すヒアリングシートに記入した情報である。ヒアリグシートには、対象者の長所のキーワードを記入・選択する箇所がある。
内面属性情報は、例えば、スイート、ハッピー、元気、粋等である。
【００１０】    入力部８は、対象者の外見の属性を示す外見属性情報を入力する。  外見属性情報は、担当者が、対象者の「外見の良いところ」を抽出して入力する。対象者の似合う色の傾向で、人を4つのグループに分けることができる。グループ分けするにあたり、外見的特徴もその根拠になる。    瞳・髪・肌の色がピンクっぽいか黄色っぽいかで、まず大きく２つに分けられる。    ピンクっぽければ、サマーかウインターになる可能性があり、黄色っぽければ、スプリングかオータムになる可能性がある。    これは、例えば、アメリカの（公序良俗違反につき、不掲載）という色彩学者が提唱した「色彩調和論」に基づいて決定する。また、骨格や毛の質・太さ等も情報として用いる。  「外見の良さ」即ち「外見の特徴」は、４つのグループ分けの根拠のひとつに使われる。当該４つのグループは、スプリング、サマー、オータム、ウインター等の四季である。
【００１１】
記憶装置１０は、図１に示すように、外観属性・色組み合わせパターン群表データＩＣＴ１と、内面属性・色組み合わせパターン表データＩＣＴ２、色選択表データＣＳＴとを記憶する。
【００１２】
外観属性・色組み合わせパターン群表データＩＣＴ１は、予め決められた複数の服や身飾品からなる複数の要素についての上位分類色を各々規定した複数の色組み合わせパターンが規定されている場合に、複数の前記色組み合わせパターンで各々が構成される色組み合わせパターン群と、前記外見属性情報との対応付けを示す第１の対応付け情報を示している。
例えば、色組み合わせパターンは、ネクタイ、ワイシャツ、ジャケット（複数の要素）の各々について上位分類色を規定している。
ここで、上位分類色とは、赤、青、黄、茶等である。
図４（Ａ）は、外観属性・色組み合わせパターン群表データＩＣＴ１の一例であり、各外見情報ＩＭｘに対して、色組み合わせパターン群ＣＰＡｘｘが対応付けられている。
色組み合わせパターン群は、人が似合う色の傾向を４グループに分類した各グループである。血液型が４種類あるように、その人の肌・瞳・髪の色味や持っている雰囲気により、4つのグループに分類している。それらのグループの名前に、シーズンの名前を付けている（スプリング・サマー・オータム・ウインター）。グループが4つに分けられるから、同じ4つに分かれているシーズンの名前が付けられているだけであり、グループ名と、その人の誕生日は、全く関係ない。対象者の肌・瞳・髪の色味を観察し、その上で、ピンク・ブルー・レッド・イエロー・グリーン・ホワイトの6つの色相の×５０センチくらいの布地を、胸の前に当てる。
４つのグループそれぞれの、６つの色相の布地を胸の前に当てるので、合計２４枚の布地を胸の前に当てることになる。
【００１３】
内面属性・色組み合わせパターン表データＩＣＴ２は、前記色組み合わせパターンと前記内面属性情報との対応付けを示す第２の対応付け情報である。
図４（Ｂ）は、内面属性・色組み合わせパターン表データＩＣＴ２の一例であり、各外見情報ＩＮｘに対して、色組み合わせパターンＣＰＢｘｘが対応付けられている。
図６はその例である。
【００１４】
色選択表データＣＳＴは、外見属性に関して予め決められた項目の属性について、前記上位分類色と対応付けられた下位分類色を規定する第３の対応付け情報である。
【００１５】
色選択表データＣＳＴは、対象者の外見に関して予め決められた項目（肌、瞳、髪、体型）の属性（外見属性）について、前記上位分類色と対応付けられた下位分類色を規定する。
ここで、下位分類色とは、上記上位分類色の各々の下位の色として規定された色である。
例えば、青の下位の色には、青紫等がある。また、赤の下位の色には、朱色等がある。
図５（Ｃ）は、色選択表データＣＳＴの一例であり、各外見項目Ａｘに対して、下位分類色Ｃｘが対応付けられている。
【００１６】
色組み合わせパターン群特定部２３は、入力された前記外見属性情報に対応付けれた前記色組み合わせパターン群を前記第１の対応付け情報を基に特定する。
【００１７】
色組み合わせパターン特定部２５は、色組み合わせパターン群特定部２３によって特定された前記色組み合わせパターン群を構成する複数の前記色組み合わせパターンのなかで、前記入力された前記内面属性情報に対応付けれた前記色組み合わせパターンを前記第２の対応付け情報を基に特定する。
【００１８】
色選択部２７は、色組み合わせパターン特定部２５が特定した前記色組み合わせパターンのそれぞれの要素の上位分類色と、前記入力された外見属性情報と、前記第３の対応付け情報とを基に、前記特定した前記色組み合わせパターンが規定する前記複数の要素についての下位分類色を選択する。
【００１９】
カラーコーディネイト支援システム１の処理の概念は図８に示される。
図９は、図１に示すカラーコーディネイト支援システム１の処理の流れを説明するフローチャートである。
以下、各ステップを詳細に説明する。
なお、カラーコーディネイト支援システム１による処理を開始する前に、対象者に図３および図４に示すヒアリングシートに記入してもらう。
【００２０】
ステップＳＴ１：
入力部８は、対象者の外見の属性を示す外見属性情報を入力する。
【００２１】
ステップＳＴ２：
入力部８は、対象者の内面の属性を示す内面属性情報を入力する。
【００２２】
ステップＳＴ３：
色組み合わせパターン群特定部２３は、ステップＳＴ１で入力された前記外見属性情報に対応付けれた前記色組み合わせパターン群を前記第１の対応付け情報を基に特定する。
【００２３】
ステップＳＴ４：
色組み合わせパターン特定部２５は、ステップＳＴ３で特定された前記色組み合わせパターン群を構成する複数の前記色組み合わせパターンのなかで、ステップＳＴ２で前記入力された前記内面属性情報に対応付けれた前記色組み合わせパターンを前記第２の対応付け情報を基に特定する。
【００２４】
ステップＳＴ５：
色選択部２７は、ステップＳＴ４で色組み合わせパターン特定部２５が特定した前記色組み合わせパターンのそれぞれの要素の上位分類色と、前記入力された外見属性情報と、前記第３の対応付け情報とを基に、前記特定した前記色組み合わせパターンが規定する前記複数の要素についての下位分類色を選択する。図７は、ステップＳＴ５の例である。
【００２５】
ステップＳＴ６：
ステップＳＴ４で選択した組み合わせパターンの各要素の色を、ステップＳＴ５で選択した下位分類色を用いて表示する画像を表示する。
【００２６】
以上説明したように、カラーコーディネイト支援システム１によれば、対象者の内面と外見との双方を反映させたカラーコーディネイトが可能になる。
【００２７】
また、カラーコーディネイト支援システム１によれば、上記色組み合わせパターンで使用される色について、対象者の外見に関して予め決められた項目（肌、瞳、髪、体型等）の属性から最も適した下位分類色に関する情報を得ることができる。
【００２８】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
例えば、入力部８、記憶装置１０、色組み合わせパターン群特定部２３、色組み合わせパターン特定部２５、色選択部２７が規定する処理内容をコンピュータがプログラムを実行する形式で実現してもよい。
【産業上の利用可能性】
【００２９】
本考案は、カラーコーディネイト支援システムに適用可能である。
【符号の説明】
【００３０】
１…カラーコーディネイト支援システム
８…入力部
１０…記憶装置
２３…色組み合わせパターン群特定部
２５…色組み合わせパターン特定部
２７…色選択部
【図１】
0003190066.tif 000003
【図２】
0003190066.tif 000004
【図３】
0003190066.tif 000005
【図４】
0003190066.tif 000006
【図５】
0003190066.tif 000007
【図６】
0003190066.tif 000008
【図７】
0003190066.tif 000009
【図８】
0003190066.tif 000010
【図９】
0003190066.tif 000011
【手続補正書】
【提出日】平成26年2月14日(2014.2.14)
【手続補正１】
【補正対象書類名】明細書
【補正対象項目名】全文
【補正方法】変更
【補正の内容】
【考案の詳細な説明】
【技術分野】
【０００１】  本考案は、対象者に合う洋服などの色に関する情報を提供するカラーコーディネイト支援システムに関するものである。
【背景技術】
【０００２】  自分を良く見せたいという気持ちは皆持っている。  洋服などの色は、その人の良さ・個性を印象付けるのに大きな役割を果たしている。
【考案の開示】
【考案が解決しようとする課題】
【０００３】  しかしながら、どのような色の服を選べばよいかを知ることは非常に難しい。【０００４】  本考案は、人が洋服などの色を選ぶ際に参考となる情報を提供できるカラーコーディネイト支援システムを提供することを目的とする。
【課題を解決するための手段】
【０００５】  上述した従来技術の問題点を解決し、上述した目的を達成するために、本考案のカラーコーディネイト支援システムは、対象者の内面の属性を示す内面属性情報を入力する内面属性入力手段と、対象者の外見の属性を示す外見属性情報を入力する外見属性入力手段と、予め決められた複数の服や身飾品からなる複数の要素についての上位分類色を各々規定した複数の色組み合わせパターンが規定されている場合に、複数の前記色組み合わせパターンで各々が構成される色組み合わせパターン群と、前記外見属性情報との対応付けを示す第１の対応付け情報を記憶する第１の記憶手段と、前記色組み合わせパターンと前記内面属性情報との対応付けを示す第２の対応付け情報を記憶する第２の記憶手段と、前記入力された前記外見属性情報に対応付けれた前記色組み合わせパターン群を前記第１の対応付け情報を基に特定する色組み合わせパターン群特定手段と、前記色組み合わせ群特定手段によって特定された前記色組み合わせパターン群を構成する複数の前記色組み合わせパターンのなかで、前記入力された前記内面属性情報に対応付けれた前記色組み合わせパターンを前記第２の対応付け情報を基に特定する色組み合わせパターン特定手段と、前記特定された前記外見属性に関して予め決められた項目の属性について、前記上位分類色と対応付けられた下位分類色を規定する第３の対応付け情報を記憶する第３の記憶手段と、前記色組み合わせパターン特定手段が特定した前記色組み合わせパターンのそれぞれの前記要素の前記上位分類色と、前記入力された外見属性情報と、前記第３の対応付け情報とを基に、前記色組み合わせパターン特定手段が特定した前記色組み合わせパターンが規定する前記複数の要素についての前記下位分類色を選択する色選択手段とを有する。
【考案の効果】
【０００６】  本考案によれば人が洋服などの色を選ぶ際に参考となる情報を提供するカラーコーディネイト支援システムを提供することができる。
【図面の簡単な説明】
【０００７】
【図１】図１は本考案の実施形態のカラーコーディネイト支援システム１の構成図である。
【図２】図２は、本考案の実施形態で使用するヒアリングシートを説明するための図である。
【図３】図３は、本考案の実施形態で使用するヒアリングシートを説明するための図である。
【図４】図４（Ａ）は外観属性・色組み合わせパターン群表データＩＣＴ１の一例であり、図４（Ｂ）は内面属性・色組み合わせパターン表データＩＣＴ２の一例である。
【図５】図５（Ｃ）は、色選択表データＣＳＴの一例である。
【図６】図６は、色組み合わせパターン特定部の処理を説明するための図である。
【図７】図７は、色選択部の処理を説明するための図である。
【図８】図８は、図１に示すカラーコーディネイト支援システムの概念を説明するための図である。
【図９】図９は、図１に示すカラーコーディネイト支援システムの処理を説明するためのフローチャートである。
【考案を実施するための形態】
【０００８】  以下、本考案のカラーコーディネイト支援システムの実施形態を説明する。  図１は本考案の実施形態のカラーコーディネイト支援システム１の構成図である。  図１に示すように、カラーコーディネイト支援システム１は、例えば、入力部８、記憶装置１０、色組み合わせパターン群特定部２３、色組み合わせパターン特定部２５、色選択部２７を有する。  以下、各構成要素について説明する。
【０００９】  入力部８は、カラーコーディネイトの対象者の内面の属性を示す内面属性情報を入力する。入力部８の入力は、例えば、キーボードやタッチパネル等の操作画面を用いて行われる。  内面属性情報は、例えば、対象者が図２、図３に示すヒアリングシートに記入した情報である。ヒアリグシートには、対象者の長所のキーワードを記入・選択する箇所がある。  内面属性情報は、例えば、スイート、ハッピー、元気、粋等である。
【００１０】    入力部８は、対象者の外見の属性を示す外見属性情報を入力する。  外見属性情報は、担当者が、対象者の「外見の良いところ」を抽出して入力する。対象者の似合う色の傾向で、人を4つのグループに分けることができる。グループ分けするにあたり、外見的特徴もその根拠になる。    瞳・髪・肌の色がピンクっぽいか黄色っぽいかで、まず大きく２つに分けられる。    ピンクっぽければ、サマーかウインターになる可能性があり、黄色っぽければ、スプリングかオータムになる可能性がある。    これは、例えば、アメリカの色彩学者が提唱した「色彩調和論」に基づいて決定する。また、骨格や毛の質・太さ等も情報として用いる。  「外見の良さ」即ち「外見の特徴」は、４つのグループ分けの根拠のひとつに使われる。当該４つのグループは、スプリング、サマー、オータム、ウインター等の四季である。
【００１１】  記憶装置１０は、図１に示すように、外観属性・色組み合わせパターン群表データＩＣＴ１と、内面属性・色組み合わせパターン表データＩＣＴ２、色選択表データＣＳＴとを記憶する。
【００１２】  外観属性・色組み合わせパターン群表データＩＣＴ１は、予め決められた複数の服や身飾品からなる複数の要素についての上位分類色を各々規定した複数の色組み合わせパターンが規定されている場合に、複数の前記色組み合わせパターンで各々が構成される色組み合わせパターン群と、前記外見属性情報との対応付けを示す第１の対応付け情報を示している。  例えば、色組み合わせパターンは、ネクタイ、ワイシャツ、ジャケット（複数の要素）の各々について上位分類色を規定している。  ここで、上位分類色とは、赤、青、黄、茶等である。  図４（Ａ）は、外観属性・色組み合わせパターン群表データＩＣＴ１の一例であり、各外見情報ＩＭｘに対して、色組み合わせパターン群ＣＰＡｘｘが対応付けられている。  色組み合わせパターン群は、人が似合う色の傾向を４グループに分類した各グループである。血液型が４種類あるように、その人の肌・瞳・髪の色味や持っている雰囲気により、4つのグループに分類している。それらのグループの名前に、シーズンの名前を付けている（スプリング・サマー・オータム・ウインター）。グループが4つに分けられるから、同じ4つに分かれているシーズンの名前が付けられているだけであり、グループ名と、その人の誕生日は、全く関係ない。対象者の肌・瞳・髪の色味を観察し、その上で、ピンク・ブルー・レッド・イエロー・グリーン・ホワイトの6つの色相の×５０センチくらいの布地を、胸の前に当てる。  ４つのグループそれぞれの、６つの色相の布地を胸の前に当てるので、合計２４枚の布地を胸の前に当てることになる。
【００１３】  内面属性・色組み合わせパターン表データＩＣＴ２は、前記色組み合わせパターンと前記内面属性情報との対応付けを示す第２の対応付け情報である。  図４（Ｂ）は、内面属性・色組み合わせパターン表データＩＣＴ２の一例であり、各外見情報ＩＮｘに対して、色組み合わせパターンＣＰＢｘｘが対応付けられている。  図６はその例である。
【００１４】  色選択表データＣＳＴは、外見属性に関して予め決められた項目の属性について、前記上位分類色と対応付けられた下位分類色を規定する第３の対応付け情報である。
【００１５】  色選択表データＣＳＴは、対象者の外見に関して予め決められた項目（肌、瞳、髪、体型）の属性（外見属性）について、前記上位分類色と対応付けられた下位分類色を規定する。  ここで、下位分類色とは、上記上位分類色の各々の下位の色として規定された色である。  例えば、青の下位の色には、青紫等がある。また、赤の下位の色には、朱色等がある。  図５（Ｃ）は、色選択表データＣＳＴの一例であり、各外見項目Ａｘに対して、下位分類色Ｃｘが対応付けられている。
【００１６】  色組み合わせパターン群特定部２３は、入力された前記外見属性情報に対応付けれた前記色組み合わせパターン群を前記第１の対応付け情報を基に特定する。
【００１７】  色組み合わせパターン特定部２５は、色組み合わせパターン群特定部２３によって特定された前記色組み合わせパターン群を構成する複数の前記色組み合わせパターンのなかで、前記入力された前記内面属性情報に対応付けれた前記色組み合わせパターンを前記第２の対応付け情報を基に特定する。
【００１８】  色選択部２７は、色組み合わせパターン特定部２５が特定した前記色組み合わせパターンのそれぞれの要素の上位分類色と、前記入力された外見属性情報と、前記第３の対応付け情報とを基に、前記特定した前記色組み合わせパターンが規定する前記複数の要素についての下位分類色を選択する。
【００１９】  カラーコーディネイト支援システム１の処理の概念は図８に示される。  図９は、図１に示すカラーコーディネイト支援システム１の処理の流れを説明するフローチャートである。  以下、各ステップを詳細に説明する。  なお、カラーコーディネイト支援システム１による処理を開始する前に、対象者に図３および図４に示すヒアリングシートに記入してもらう。
【００２０】  ステップＳＴ１：  入力部８は、対象者の外見の属性を示す外見属性情報を入力する。
【００２１】  ステップＳＴ２：  入力部８は、対象者の内面の属性を示す内面属性情報を入力する。
【００２２】  ステップＳＴ３：  色組み合わせパターン群特定部２３は、ステップＳＴ１で入力された前記外見属性情報に対応付けれた前記色組み合わせパターン群を前記第１の対応付け情報を基に特定する。
【００２３】  ステップＳＴ４：  色組み合わせパターン特定部２５は、ステップＳＴ３で特定された前記色組み合わせパターン群を構成する複数の前記色組み合わせパターンのなかで、ステップＳＴ２で前記入力された前記内面属性情報に対応付けれた前記色組み合わせパターンを前記第２の対応付け情報を基に特定する。
【００２４】  ステップＳＴ５：  色選択部２７は、ステップＳＴ４で色組み合わせパターン特定部２５が特定した前記色組み合わせパターンのそれぞれの要素の上位分類色と、前記入力された外見属性情報と、前記第３の対応付け情報とを基に、前記特定した前記色組み合わせパターンが規定する前記複数の要素についての下位分類色を選択する。図７は、ステップＳＴ５の例である。
【００２５】  ステップＳＴ６：  ステップＳＴ４で選択した組み合わせパターンの各要素の色を、ステップＳＴ５で選択した下位分類色を用いて表示する画像を表示する。
【００２６】  以上説明したように、カラーコーディネイト支援システム１によれば、対象者の内面と外見との双方を反映させたカラーコーディネイトが可能になる。
【００２７】  また、カラーコーディネイト支援システム１によれば、上記色組み合わせパターンで使用される色について、対象者の外見に関して予め決められた項目（肌、瞳、髪、体型等）の属性から最も適した下位分類色に関する情報を得ることができる。
【００２８】  本考案は上述した実施形態には限定されない。  すなわち、当業者は、本考案の技術的範囲またはその均等の範囲内において、上述した実施形態の構成要素に関し、様々な変更、コンビネーション、サブコンビネーション、並びに代替を行ってもよい。  例えば、入力部８、記憶装置１０、色組み合わせパターン群特定部２３、色組み合わせパターン特定部２５、色選択部２７が規定する処理内容をコンピュータがプログラムを実行する形式で実現してもよい。
【産業上の利用可能性】
【００２９】  本考案は、カラーコーディネイト支援システムに適用可能である。
【符号の説明】
【００３０】１…カラーコーディネイト支援システム８…入力部１０…記憶装置２３…色組み合わせパターン群特定部２５…色組み合わせパターン特定部２７…色選択部
【手続補正２】
【補正対象書類名】実用新案登録請求の範囲
【補正対象項目名】全文
【補正方法】変更
【補正の内容】
【実用新案登録請求の範囲】
【請求項１】
対象者の内面の属性を示す内面属性情報を入力する内面属性入力手段と、  対象者の外見の属性を示す外見属性情報を入力する外見属性入力手段と、  予め決められた複数の服や身飾品からなる複数の要素についての上位分類色を各々規定した複数の色組み合わせパターンが規定されている場合に、複数の前記色組み合わせパターンで各々が構成される色組み合わせパターン群と、前記外見属性情報との対応付けを示す第１の対応付け情報を記憶する第１の記憶手段と、  前記色組み合わせパターンと前記内面属性情報との対応付けを示す第２の対応付け情報を記憶する第２の記憶手段と、  前記入力された前記外見属性情報に対応付けれた前記色組み合わせパターン群を前記第１の対応付け情報を基に特定する色組み合わせパターン群特定手段と、  前記色組み合わせ群特定手段によって特定された前記色組み合わせパターン群を構成する複数の前記色組み合わせパターンのなかで、前記入力された前記内面属性情報に対応付けれた前記色組み合わせパターンを前記第２の対応付け情報を基に特定する色組み合わせパターン特定手段と、  前記特定された前記外見属性に関して予め決められた項目の属性について、前記上位分類色と対応付けられた下位分類色を規定する第３の対応付け情報を記憶する第３の記憶手段と、  前記色組み合わせパターン特定手段が特定した前記色組み合わせパターンのそれぞれの前記要素の前記上位分類色と、前記入力された外見属性情報と、前記第３の対応付け情報とを基に、前記色組み合わせパターン特定手段が特定した前記色組み合わせパターンが規定する前記複数の要素についての前記下位分類色を選択する色選択手段と  を有するカラーコーディネイト支援システム。
【手続補正３】
【補正対象書類名】図面
【補正対象項目名】図３
【補正方法】変更
【補正の内容】
【図３】
0003190066.tif 000012